(57)【要約】【課題】  携帯電話機を作動させる電池の消費電力を抑えつつ適切な着信報知をすることが可能な携帯電話機を提供する。【解決手段】  携帯電話機に内蔵されて振動により着信があったことを報知するバイブレータ５の駆動を許可または禁止に設定するバイブレータ設定部９ａと、携帯電話機に加わる加速度を検出する加速度検出部１３と、携帯電話機を作動させる電池１０の電池残量値を検出する電池残量検出部１１と、バイブレータ設定部９ａによりバイブレータの駆動が許可されているときであって、電池残量が所定値以下で、且つ加速度が所定値を超えているときには着信報知時におけるバイブレータ５の停止期間を長くし、または加速度が所定値に満たないときには着信報知時にバイブレータ５の駆動に代えて他の報知手段を駆動する報知制御部とを備える。【選択図】      図１
2005260341.tif 000002
【特許請求の範囲】
【請求項１】
携帯電話機に内蔵されて振動により着信があったことを報知するバイブレータと、
このバイブレータの駆動を許可または禁止に設定するバイブレータ設定部と、
上記携帯電話機に内蔵されて該携帯電話機に加わる加速度を検出する加速度検出部と、
上記携帯電話機を作動させる電池の電池残量値を検出する電池残量検出部と、
前記バイブレータ設定部により前記バイブレータの駆動が許可されているときであって、前記電池残量が所定値以下で、且つ前記加速度が所定値を超えているときには着信報知時における前記バイブレータの停止期間を長くし、または前記加速度が上記所定値に満たないときには前記着信報知時に前記バイブレータの駆動に代えて他の報知手段を駆動する報知制御部と
を備えることを特徴とする携帯電話機。
【請求項２】
前記他の報知手段は、前記携帯電話機に内蔵されて鳴動により着信があったことを報知するリンガまたは表示器からなるものである請求項１に記載の携帯電話機。
【発明の詳細な説明】
【技術分野】
【０００１】
本発明は、携帯電話機に係り、特にバイブレータの振動により着信報知を行う携帯電話機の電池寿命を長くして長時間使用するに好適な携帯電話機に関する。
【背景技術】
【０００２】
一般に携帯電話機は、ユーザに対して鳴動または振動によって着信を検知したことを通知する着信報知手段が設けられている。この着信報知手段は、例えば所定の音や音楽を出力するリンガや、モータの回転軸に偏心して取り付けられた分銅を回転させることによって振動を発生させるバイブレータ等から構成される。そして携帯電話機には、ユーザの設定によって、これらリンガの鳴動やバイブレータの振動を許可／禁止する設定ができるようになっている。ちなみにバイブレータは、リンガの鳴動によって着信を確認することが困難である使用状況、具体的には、リンガが出力する着信音の報知によって周囲に迷惑を及ぼすおそれのある室内、電車内等や、逆に周囲の騒音が大きく着信音を聞き取ることができない場合に使用すると効果的である。
【０００３】
このように構成された携帯電話機には、この携帯電話機を駆動する電源となる二次電池（バッテリ）が内蔵されている。この二次電池（バッテリ）は、充電器によって充電される。この充電器は、例えば携帯電話機をその上に載せることによって、充電器と携帯電話機にそれぞれ設けられた充電端子が接触して、携帯電話機に内蔵された二次電池が充電されるようになっている。
【０００４】
このように構成された携帯電話機を着信時にバイブレータ報知を行うように設定したまま充電器にセットすると、着信があった場合にはユーザに対する着信報知が不可能になったり、バイブレータの振動によって充電端子の接触不良のために不完全な充電となったりする等の問題が起こることがある。このため充電時にはバイブレータ報知を一時的にやめて、充電端子の接触不良を防止する携帯電話機が知られている（例えば、特許文献１を参照）。
【特許文献１】特開２０００−３５８０８５号公報
【発明の開示】
【発明が解決しようとする課題】
【０００５】
上述したようにして構成された携帯電話機にあっては、リンガを鳴動させるために必要な電力は、概ね［１５０〜２００］mWであるのに対して、バイブレータを駆動するために必要な電力は、概ね［４００〜６００］mWと３倍ほど大きい。このため、携帯電話機を駆動するバッテリの残量が少ない場合、バイブレータの駆動に費やされる電力で、着信応答操作を行う前に電池切れを起こすという問題があった。
【０００６】
また上述した特許文献１が開示する携帯電話機にあっては、充電時のみバイブレータの駆動を停止するものの、ユーザが携帯電話機を携行していないとき、バイブレータの振動によって着信報知を行った場合は、電池の電力を無駄に消費すると共に、ユーザへ着信報知が適切にできないという問題もあった。
本発明は、このような従来の事情に対処してなされたものであり、その目的は、携帯電話機を作動させる電池の消費電力を抑えつつ適切な着信報知をすることが可能な携帯電話機を提供することにある。
【課題を解決するための手段】
【０００７】
上述した目的を達成するため、本発明に係る携帯電話機は、該携帯電話機に内蔵されて振動により着信があったことを報知するバイブレータと、このバイブレータの駆動を許可または禁止に設定するバイブレータ設定部と、上記携帯電話機に内蔵されて該携帯電話機に加わる加速度を検出する加速度検出部と、上記携帯電話機を作動させる電池の電池残量値を検出する電池残量検出部と、前記バイブレータ設定部により前記バイブレータの駆動が許可されているときであって、前記電池残量が所定値以下で、且つ前記加速度が所定値を超えているときには着信報知時における前記バイブレータの停止期間を長くし、または前記加速度が上記所定値に満たないときには前記着信報知時に前記バイブレータの駆動に代えて他の報知手段を駆動する報知制御部とを備えることを特徴としている。
【０００８】
上述した携帯電話機によれば、バイブレータの駆動が許可されているときであって電池残量が所定値以下で、且つ前記加速度が所定値を超えているときは、報知制御部により着信報知時におけるバイブレータの駆動期間に対する停止時間を長くする。また上述した携帯電話機によれば、バイブレータの駆動が許可されているときであって前記加速度が上記所定値に満たないときには前記着信報知時に前記バイブレータの駆動に代えて他の報知手段に切り換える。
【０００９】
具体的に上述した他の報知手段は、前記携帯電話機に内蔵されて鳴動により着信があったことを報知するリンガまたは表示器からなるものとして構成される。具体的にリンガは、着信時に所定の音、例えばビープ音、ベル音や音楽等を出力する。一方、表示器はＬＥＤの点滅・点灯や、液晶などの表示部に着信表示等をする。
好ましくは、前記電池残量検出部は、前記電池の電池電圧から電池残量値を判定するもの、或いは、前記電池が前記携帯端末装置に供給する電流値およびその供給時間との積を求めて該電池の電池残量値を判定するものとして構成される。
【発明の効果】
【００１０】
このように本発明の携帯電話機においては、携帯電話機への着信報知をバイブレータで行うことが許可されて電池検出部が検出した電池残量が所定値以下で、且つ加速度検出部で検出した加速度が所定値を超えているとき、即ち電池残量が少なく該携帯電話機がユーザにより携行されているときに着信があった際、バイブレータの駆動期間に対して、停止期間を長くしているので、バイブレータの駆動に係る電池の消費を抑えることができる。
【００１１】
また、本発明の携帯電話機においては、携帯電話機への着信報知をバイブレータで行うことが許可されて前記加速度検出部が検出した加速度が所定値に満たないとき、即ち該携帯電話機が携行されていないとき、バイブレータによる着信報知に代えて、リンガまたは表示器による着信報知に切り換えているので、着信報知に係る無駄な電池の消費を抑えることができ、携帯電話機の長時間使用を可能とする等、実用上多大なる効果を奏する。
【発明を実施するための最良の形態】
【００１２】
以下、本発明の一実施形態に係る携帯電話機に関し、図面を参照しながら説明する。
図１は本発明に係る携帯電話機の概略構成を示すブロック図である。この図において１は、この携帯電話機の作動を制御する主制御部である。この主制御部１には、無線によって図示しない基地局等と通信を行う無線部２およびアンテナ３が接続されている。また、この携帯電話機には、音声信号等の音響を送受する送／受話部４、着信を鳴動によって報知するリンガ６および振動によって報知するバイブレータ５が設けられている。この携帯電話機は、所定の操作を行うキーボード等からなる操作部７および表示部８に表示されるガイダンス情報を参照しながらリンガ６の鳴動および／またはバイブレータ５の振動によって着信報知を行う設定がなされて、その設定情報を例えばＲＡＭ等からなる記憶部９に記憶するようになっている（バイブレータ設定部９ａ）。
【００１３】
この携帯電話機には、該携帯電話機の動作を司る電力を供給するバッテリ１０および、その電池電圧を検出する電圧検出部１１が設けられている。このバッテリ１０は、該バッテリ１０の電圧を検出する電圧検出部１１の検出電圧の情報を受けて、充電を制御する充電制御部１２によって充電が行われるようになっている。
またこの携帯電話機には、該携帯電話機が受ける加速度を検出する加速度検出部１３が設けられている。この加速度検出部１３は、詳細は後述するが、主制御部１から所定の加速度の所定値（閾値）が設定されて、この設定された所定値（閾値）を超えた加速度を検出したとき、検出信号を主制御部１に与えるものであって、携帯電話機が携行されているか否かを検出するものである。
【００１４】
概略的には、上述したようにして構成された本発明に係る携帯電話機が特徴とするところは、前記バイブレータ５の駆動が許可されているときであって、前記バッテリ（二次電池）１０の残量が所定値以下で、且つ前記加速度検出部１３が検出した加速度が所定値を超えているとき、着信報知時における前記バイブレータ５の停止期間を長くする点、および前記加速度検出部１３が検出した加速度が所定値に満たないとき、着信報知時に前記バイブレータ５の駆動に代えて他の報知手段を駆動する報知制御部１４を備える点にある。
【００１５】
このような特徴ある本発明に係る携帯電話機の報知制御部１４について、その作動ロジックを示す図２の論理図を参照しながら説明する。
この図２（ａ）は、バイブレータの駆動制御を示すロジック図であり、図２（ｂ）は、リンガの鳴動制御を示すロジック図である。
さてバイブレータ５は、予め記憶部９に着信時にバイブレータ５の駆動を許可する設定がなされているときであり、電圧検出部１１が検出した電池電圧が所定値以上（電圧高；電池残量あり）で、且つ加速度検出部１３が検出した加速度が所定値を超えているときに着信があるとバイブレータ駆動信号が出されて、駆動されるようになっている。
【００１６】
したがってバイブレータ５を駆動する第１の条件は、［バイブレータ駆動設定あり］、［加速度検出あり］、［着信あり］が揃ったときである（ＡＮＤ１）。ちなみに加速度検出部１３は、所定の加速度を超えたことを検出したとき、検出信号を出力するものであって、具体的に加速度検出部１３は、ユーザが携帯電話機を携行中に該携帯電話機に受ける加速度を検出して検出信号を出力する。そして、この検出信号を受けた主制御部１は、ユーザによって携帯電話機が携行されているか、静止中（例えば机の上に置かれている場合や充電中等）かどうかを判定する。
【００１７】
更に報知制御部１４は、上述した第１の条件に加えてバッテリ１０の残量によってバイブレータ５の駆動を制御する。具体的に報知制御部１４は、電圧検出部１１が検出したバッテリ１０の電圧値が所定値以下の場合、バイブレータ５の駆動パターンを変更する。つまり報知制御部１４は、バッテリ１０の電圧が所定の電圧値を上回っているとき、すなわちバッテリの残量が十分あるときは、所定のバイブレータの連続駆動や間欠駆動を行う。
【００１８】
一方、報知制御部１４は、電圧検出部１１が検出したバッテリ１０の電圧が低く、バッテリ１０の残量が少ない場合、振動パターン制御部１５によって、連続駆動を間欠駆動に替えたり、間欠駆動におけるバイブレータ５の停止期間を長くしたり、或いはバイブレータ５の駆動を完全に停止したりする。ちなみに報知制御部１４は、バッテリ１０の残量が少なく、バイブレータ５の駆動を完全に停止させた場合、着信報知を後述するリンガ６の鳴動に切り換えてバッテリ１０の消耗を防ぐ。
【００１９】
報知制御部１４は、このようにバッテリ１０の残量に応じてバイブレータ５の駆動を制御することによって、バッテリ１０の放電終止時期に近づいたバッテリ１０の電力消費を抑えている。このため、バッテリ１０によって駆動される携帯電話機の運用時間を長くすることが可能となる。
次に報知制御部１４が行うリンガ６の鳴動制御は、予め記憶部９に着信時にリンガ６の駆動を許可する設定がなされているとき、着信があるとリンガ６を鳴動させる（ＯＲ１，ＡＮＤ２；通常着信報知）。一方、上述したようにバイブレータ５の駆動制御がなされているときであって、バッテリ１０の残量が少ない場合、報知制御部１４は、バイブレータ５による着信報知に替えて、リンガ６の鳴動により着信を報知する。すなわち、［バイブレータ駆動あり］且つ［電池電圧低］のとき、着信時には、リンガ６に対する鳴動の許可／禁止の設定にかかわらず、該リンガ６を駆動して着信を報知する（ＯＲ２，ＡＮＤ３，ＯＲ１，ＡＮＤ２）。
【００２０】
或いは、バイブレータ５の駆動が許可されているときであって、加速度検出部１３が検出した加速度が所定値以下であるとき、即ち、ユーザが携帯電話機を携行しておらず、例えば机の上に置いた静止状態の場合や充電置台にセットして充電中などの場合、報知制御部１４は、バイブレータ５の駆動に替えてリンガ６を駆動することで着信報知を行う（ＯＲ２，ＡＮＤ３，ＯＲ１，ＡＮＤ２）。
【００２１】
尚、リンガ６の駆動に替えて、例えば携帯電話機に内蔵されたＬＥＤ（図示せず）の点灯や点滅、または携帯電話機に内蔵されたＬＣＤ（液晶板）に着信があった旨を表示する等して着信報知を行うようにしてもかまわない。
次に上述したように構成された携帯電話機における着信時の作動について、報知制御部１４の処理アルゴリズムを示す図３を用いて説明する。ここでは、携帯電話機に着信があったとき、バイブレータ５の振動およびリンガ６の鳴動によって該携帯電話機に着信があったことを報知する設定が予めユーザによりなされているものとする。
【００２２】
まず報知制御部１４は、主制御部１からの着信通知を待つ［ステップＳ１］。次いで報知制御部１４は、ステップ１で主制御部１から着信通知があったとき、記憶部９にバイブレータ５の駆動を許可する設定がなされているかどうかを判定する［ステップＳ２］。報知制御部１４は、バイブレータ５の駆動を許可する旨の設定がなされていると、次に加速度検出部１３が検出した加速度が所定値を超えているかどうかを判定する［ステップＳ３］。そして報知制御部１４は、ステップＳ３で加速度が所定値を超えている、すなわちユーザにより該携帯電話機が携行されていると判定したとき、更に電圧検出部１１が検出したバッテリ１０の電池電圧から電池残量を判定する［ステップＳ４］。次いで報知制御部１４は、記憶部９にリンガ６の鳴動を許可する設定がなされているかどうかを判定する［ステップＳ５］。ステップＳ５でリンガ６の鳴動を許可する設定がなされていると報知制御部１４が判定したとき報知制御部１４は、着信を報知するべくバイブレータ５を駆動し、リンガ６を鳴動させる［ステップＳ６］。
【００２３】
ステップＳ５で報知制御部１４は、リンガ６の鳴動を許可する設定がなされていないと判定した場合、報知制御部１４は、バイブレータ５のみを駆動して着信があったことを報知する［ステップＳ７］。
尚、報知制御部１４は、ステップＳ２でバイブレータ５の駆動を許可する設定がなされていないと判定したとき、またはステップＳ３で加速度検出部１３が検出した加速度が所定の加速度を以下であるとき、即ち、携帯電話機が静止状態にあると判定したとき、あるいはステップＳ４で電池残量が少ないと判定したとき、バイブレータ５の駆動に替えてリンガ６を鳴動させることで着信があったことを報知する［ステップＳ８］。
【００２４】
報知制御部１４は、ステップＳ６，Ｓ７，Ｓ８で着信の報知を、呼出が終了するまで繰り返す［ステップＳ９］。
かくしてこのように構成された携帯電話機にあっては、携帯電話機に内蔵された加速度検出部１３によって携帯電話機が静止状態にあるか携行状態にあるかを検出すると共に、バッテリ１０の残量が少ないとき、バイブレータ５の停止期間が長くなるように振動パターンを変化させている。このため、バッテリ１０の残量が少ない携帯電話機の使用可能時間を延ばすことが可能となる他、着信応答操作を行う前に電池切れを起こすこともない。
【００２５】
また、携帯電話機に内蔵された加速度検出部１３によって携帯電話機が静止状態にあるか携行状態にあるかを検出し、バイブレータ５の駆動またはリンガ６の鳴動を切り換えている。このため、ユーザが携行していないときにバイブレータ５を無駄に駆動することがなく着信報知時におけるバッテリ１０の消費を抑えることができる。また、携帯電話機の電源を入れた状態で、且つバイブレータ５の駆動を許可した状態で充電置台に該携帯電話機をセットしたとしても、加速度検出部１３によって、該携帯電話機が静止状態にあることを検出し、着信があったときバイブレータ５を駆動することなく、リンガ６の鳴動により着信を報知する。このため、着信があった場合にはユーザに対する着信報知が不可能になったり、バイブレータの振動による充電端子の接触不良のために不完全な充電となったりする等の問題を防止することが可能となる。
【００２６】
或いは報知制御部１４は、上述したアルゴリズムに替えて、図４にバッテリ１０の残量に応じてバイブレータの駆動パターンを変化させるアルゴリズムを適用してもよい。このアルゴリズムは、上述したステップＳ４に代わるものとして図示したものであって、リンガ６の鳴動に関するステップＳ５を省略したアルゴリズムである。この図に示すように、報知制御部１４は、ステップＳ１０で電圧検出部１１が検出した電池電圧から電池の残量を判定する。そして報知制御部１４は、電池電圧が高く電池残量が多くあると判定したときは、バイブレータ５を通常駆動する［ステップＳ１１］。また報知制御部１４は、ステップＳ１０で電圧検出部１１が検出したバッテリ１０の電圧が低く、バッテリ１０の残量が少ないと判定したときは、バイブレータ５の駆動に替えてリンガ６のみを鳴動させる［ステップＳ１２］。
【００２７】
或いは報知制御部１４は、ステップＳ１０でバッテリ１０に中程度の残量があると判定したときは、バイブレータ５の駆動を間欠駆動にしたり、間欠駆動における停止期間を長くしたりする［ステップＳ１３］。
このようにすることで、バッテリ１０の残量があるときは通常のバイブレータ駆動を行うと共に、バッテリ１０の残量が少なくなるにつれて、バイブレータ５を間欠駆動または停止させると共に、リンガ６の鳴動に切り替えることができ、バイブレータ５の駆動に係るバッテリの消耗を効果的に抑えつつ、ユーザに着信報知を行うことができる。
【００２８】
なお、上述した実施形態にあっては、バッテリ１０の電圧値によって電池残量を判定していたが、バッテリ１０から携帯電話機に供給される電流値およびその供給時間との積から求めた電力量からバッテリ１０の残量を判定しても勿論かまわない。
その他、携帯電話機以外にも例えばＰＤＡ等の携帯情報端末等に応用することも可能である。
【図面の簡単な説明】
【００２９】
【図１】本発明の一実施形態に係る携帯電話機の概略構成を示すブロック図。
【図２】図１に示す報知制御部の論理構成を示す論理図。
【図３】図１に示す報知制御部の着信報知の作動アルゴリズムを示すフローチャート。
【図４】図３に示す報知制御部の着信報知の作動アルゴリズムの一部であって、別の実施形態を示すフローチャート。
【符号の説明】
【００３０】
５      バイブレータ
６      リンガ
９      記憶部
９ａ    バイブレータ設定部
１０      バッテリ
１１      電圧検出部
１３      加速度検出部
１４      報知制御部
【図１】
2005260341.tif 000003
【図２】
2005260341.tif 000004
【図３】
2005260341.tif 000005
【図４】
2005260341.tif 000006